(57)【特許請求の範囲】
【請求項１】
左右どちらか一方の乳房に当接する第１カップ部と、該第１カップ部から側方に延伸された第１バンド部とを有する主部と、
補整パッドを収納可能に構成された第２カップ部と、該第２カップ部から側方に延伸された第２バンド部とを有する従部とを備え、
前記第２バンド部が前記第１バンド部の上に重なるように前記主部と前記従部とを左右一対として組み合わせ、
前記第２バンド部の前記第１カップ部側の一端が、前記第１バンド部の所定の位置において前記第１バンド部に連結されており、
前記第２バンド部の他端が、前記第１バンド部の前記第２カップ部側の一端に連結されており、
前記主部と前記従部との間に空間が形成されるように前記従部が前記主部に支持されていることを特徴とするブラジャー。
【請求項２】
前記第２バンド部の前記第１カップ部側の前記一端から前記他端までの長さが、前記第１バンド部の前記所定の位置から前記第２カップ部側の前記一端までの長さよりも長いことを特徴とする、請求項１に記載のブラジャー。
【請求項３】
前記第２バンド部が、前記他端側においてバンド長さ調節機構を備えていることを特徴とする、請求項２に記載のブラジャー。
【請求項４】
前記第１バンド部の前記所定の位置が、前記第１カップ部よりも前記第１バンド部の前記他端寄りの位置であることを特徴とする、請求項１に記載のブラジャー。
【請求項５】
前記主部が、前記第１カップ部から上方に延伸されて、背面において前記第１バンド部と一体化される第１肩紐部を更に有し、
前記従部が、前記第２カップ部から上方に延伸されて、背面において前記第２バンド部と一体化される第２肩紐部を更に有することを特徴とする、請求項１に記載のブラジャー。
【請求項６】
前記第１肩紐部及び前記第２肩紐部が肩紐長さ調節機構をそれぞれ備えていることを特徴とする、請求項５に記載のブラジャー。
【請求項７】
前記第１バンド部と前記第２バンド部とを前記第１カップ部及び前記第２カップ部の近傍で部分的に接合する接合部材を備えることを特徴とする、請求項１に記載のブラジャー。
【発明の詳細な説明】
【技術分野】
【０００１】
本発明は、ブラジャーに関し、特に、片側の乳房を手術によって摘出した乳癌患者に好適な乳癌患者用ブラジャーに関するものである。
【背景技術】
【０００２】
乳癌は乳腺等の乳房組織に発生する悪性腫瘍である。乳癌に罹患するリスクは年齢と共に増加し、日本人女性の場合、生涯で乳癌に罹患する確率は２５〜３０人に１人程度であるといわれている。症状としては、乳房のしこりや隆起、乳房の陥凹、乳汁分泌、血性乳汁等が知られている。【０００３】
乳癌の治療は原則的には外科的切除であり、抗癌剤や抗エストロゲン剤などを用いた化学療法や放射線療法が併用されることも多い。外科手術には、腫瘤のみを摘出する乳房温存手術と、乳房を一部ないし完全に切除する乳房切除手術とがある。腫瘤の大きさによって切除範囲が選択されるため、大きな腫瘤や、胸壁や皮膚へと直接浸潤している程度に進行している場合には広範囲の切除が必要となる。【０００４】
再発防止のためには出来る限りの腫瘤摘出が望まれるが、さらに、悪性腫瘍のリンパ行性転移に対する処置として、乳房切除手術の際には腋窩リンパ節の切除が行われる。リンパ節にまで癌が転移していなくとも少なくとも第一リンパ節が切除され、仮に第一リンパ節にまで転移が進んでいれば第三リンパ節まで切除していくというように、転移が進むほど奥に切除していくこととなる。【０００５】
ところで、一般的に女性が胸部に着用する下着であるブラジャーは、乳房を支えることを主目的とし、バストの形状を整形すると共に形が崩れることを防ぐために広く使用されている。様々な色やデザイン、素材、機能を有する多種多様なブラジャーが商品化されているが、上述のように乳癌治療のために乳房を切除する手術を受けた女性に向けた乳癌患者用ブラジャーも提供されている。【０００６】
乳癌患者用ブラジャーにおいては、バストの膨らみを復元することも大きな目的の一つとなる。バストの膨らみを復元するためには、例えば特許文献１や特許文献２に示されたブラジャーのように、切除した乳房側のカップに設けたポケットに、シリコンやウレタン、布、綿、ビーズ、小豆などの素材を用いたパッドを挿入して装着するものが多数提案されている。
【先行技術文献】
【特許文献】
【０００７】
【特許文献１】実開平７−３３９１８号公報
【特許文献２】実用新案登録第３１１８２２７号公報
【特許文献３】実用新案登録第３１０９７６７号公報
【発明の概要】
【発明が解決しようとする課題】
【０００８】
疑似的に乳房を作り出すパッドを用いた従来のブラジャーは、使用上いくつかの問題点があった。例えば、シリコン製のパッドを用いて生身の乳房と同じような大きさ及び重さを実現した場合、実際にブラジャーを装着してみると生身の胸よりも大きく重く感じるとともに非常に肩がこり易くなる。また、形を維持するためにある程度の堅さを持つパッドを使用した場合、切除後の胸や腋窩に当該パッドが当たるとあばら骨や傷跡が痛むことがある。【０００９】
一方で、肩こりやパッドが当たることによる痛みを防止するために、軽い布製パッドや綿を詰めたパッドを用いた場合、ブラジャーを着用して動いているうちに、そのパッドの軽さに起因して切除した乳房側のカップがずり上がってきてしまい、左右のバストトップの位置が大きくずれてしまうという問題がある。また、切除した乳房側のカップがずり上がるということは、すなわちブラジャーのカップの下部に位置するバンド部（ゴム）も一緒にずり上がってくるということであるが、このようにバンド部がずり上がってくると切除後の胸や腋窩の傷跡に当たり、非常に強い痛みを生じるという問題もある。【００１０】
このようなカップのずり上がりを防止するために、例えば特許文献３に示すように股下にくぐらせたループ状のバンドを有するブラジャーや、ブラジャーの下辺にガードルやショーツ、スラックスのベルト等に連結させるテープを備えることも提案されている。しかしながら、このようにブラジャーの動きを上からも下からも拘束すると、手を挙げるとブラジャーの肩紐が肩に食い込んでしまうなど、自由な動きが阻害されてしまうという不都合がある。【００１１】
本発明は、このような実状に鑑みてなされたものであり、乳癌治療のために乳房やリンパ節を切除した後の胸や腋窩への圧迫感や痛みを低減することができる、乳癌患者に好適なブラジャーを提供することを目的とする。
【課題を解決するための手段】
【００１２】
上記目的を達成するために、本発明は、左右どちらか一方の乳房に当接する第１カップ部と、該第１カップ部から側方に延伸された第１バンド部とを有する主部と、補整パッドを収納可能に構成された第２カップ部と、該第２カップ部から側方に延伸された第２バンド部とを有する従部とを備え、前記第２バンド部が前記第１バンド部の上に重なるように前記主部と前記従部とを左右一対として組み合わせ、前記主部と前記従部との間に空間が形成されるように前記従部が前記主部に支持されていることを特徴とするブラジャーを提供する（発明１）。【００１３】
上記発明（発明１）によれば、第１カップ部と第１バンド部とを有する主部は健常な乳房を保持するためのブラジャーとして用いられるとともに、第２カップ部と第２バンド部とを有する従部は切除手術を行った側の胸部において疑似的に乳房を作り出す役割を果たすが、第２バンド部が第１バンド部の上に重なるように主部と従部とが組み合わされており、かつ、主部と従部との間に空間が形成されていることにより、従部によって切除手術を行った側の胸部に与える押圧力が小さくなる。結果、切除手術を行った側の胸部への圧迫感や痛みが低減される。【００１４】
上記発明（発明１）においては、前記第２バンド部の前記第１カップ部側の一端が、前記第１バンド部の所定の位置において前記第１バンド部に連結されており、前記第２バンド部の他端が、前記第１バンド部の前記第２カップ部側の一端に連結されていることが好ましい（発明２）。【００１５】
上記発明（発明２）のように第１バンド部と第２バンド部とを連結することにより、第２バンド部が第１バンド部の上に重なるように主部と従部とが組み合わされる。ブラジャー着用時には、主部においては健常側の乳房を保持するために第１カップ部を上方に引き上げる力が働くが、このように第１バンド部と第２バンド部とが連結されていれば、主部と従部とが構造的にほぼ独立し、それぞれに働く力が相互に伝わりにくくなるため、主部は健常側の乳房をしっかりと保持する役割を果たしつつ、従部に対して第２カップ部を上方に引き上げる力が働くことはなくなる。そのため、軽いパッドを第２カップ部に用いた場合であっても、ブラジャーを着用して動いているうちに第２カップ部がずり上がってきてしまうこともない。【００１６】
上記発明（発明２）においては、前記第２バンド部の前記第１カップ部側の前記一端から前記他端までの長さが、前記第１バンド部の前記所定の位置から前記第２カップ部側の前記一端までの長さよりも長いことが好ましい（発明３）。【００１７】
上記発明（発明３）によれば、第２バンド部が第１バンド部の上に重なるように主部と従部とを組み合わせた際に、主部と従部との間に容易に空間を形成することができる。【００１８】
上記発明（発明３）においては、前記第２バンド部が、前記他端側においてバンド長さ調節機構を備えていることが好ましい（発明４）。【００１９】
上記発明（発明４）によれば、ブラジャーを装着する人の体型や体格に合わせて適切なサイズの空間を主部と従部との間に形成することができる。【００２０】
また、上記発明（発明２）においては、前記第１バンド部の前記所定の位置が、前記第１カップ部よりも前記第１バンド部の前記他端寄りの位置であることが好ましい（発明５）。【００２１】
上記発明（発明５）によれば、第２バンド部が第１カップ部よりも遠い位置において第１バンド部に連結されることになるため、ブラジャー着用時に、第１カップ部を上方に引き上げる力が働いても、その力が第２バンド部を介して従部に伝達することはなく、結果として第２カップ部が上方にずれ上がることを防止することができる。また、ブラジャー着用時に、第１バンド部よりも第２バンド部の位置を下側に位置させることができるため、左右のバストトップの高さ位置のバランスを取り易くなる。【００２２】
上記発明（発明１）においては、前記主部が、前記第１カップ部から上方に延伸されて、背面において前記第１バンド部と一体化される第１肩紐部を更に有し、前記従部が、前記第２カップ部から上方に延伸されて、背面において前記第２バンド部と一体化される第２肩紐部を更に有していてもよい（発明６）。【００２３】
上記発明（発明６）によれば、第１カップ部から伸びる第１肩紐部は第１バンド部に、第２カップ部からの伸びる第２肩紐部は第２バンド部に一体化されており、主部と従部とを構造的にほぼ独立させることができる。また、主部において、健常な乳房の残る側には第１肩紐部があるため、健常側の乳房を保持する第１カップ部を上に引き上げる力は適正に生じるものの、切除手術を行った側には肩紐がないため、切除手術を行った側の胸部の下に位置する第１バンド部がずり上がってあばらや傷跡に当たることはない。一方、従部においては、第２肩紐部によって第２カップ部を上方から吊り下げることにより、第１カップ部の位置に合わせて第２カップ部の高さを適正な位置に保持することができ、ブラジャー着用時に、左右のバストトップの高さ位置のバランスを取り易くなる。【００２４】
上記発明（発明６）においては、前記第１肩紐部及び前記第２肩紐部が肩紐長さ調節機構をそれぞれ備えていることが好ましい（発明７）。【００２５】
上記発明（発明７）によれば、ブラジャーを装着する人の体格に合わせて、第１カップ部の位置に合わせて第２カップ部の高さを適正な位置に保持することができ、また、ブラジャー着用時に左右のバストトップの高さ位置のバランスを取り易くなる。【００２６】
上記発明（発明１）においては、前記第１バンド部と前記第２バンド部とを、前記第１カップ部及び前記第２カップ部の近傍で部分的に接合する接合部材を備えることが好ましい（発明８）。【００２７】
上記発明（発明８）によれば、ブラジャー着用時に、健常側の乳房を保持する第１カップ部の位置に合わせて、左右のバストトップの高さ位置やバランスを確認しながら適切な位置に第２カップ部が配置されるように、第１バンド部と第２バンド部とを接合させることができる。なお、接合部材は第１バンド部と第２バンド部とを着脱自在に接合できるものであればよく、例えば、面ファスナやホック、ボタン、スナップ等が挙げられる。
【発明の効果】
【００２８】
本発明に係る乳癌患者用ブラジャーによれば、乳癌治療のために乳房やリンパ節を切除した後の胸や腋窩への圧迫感や痛みを低減することができる。
【図面の簡単な説明】
【００２９】
【図１】本発明の一実施形態に係るブラジャーの構造を示す概要図である。
【図２】同実施形態に係るブラジャーの右胸用パーツ（主部）の構造を示す概要図である。
【図３】同実施形態に係るブラジャーの左胸用パーツ（従部）の構造を示す概要図である。
【図４】同実施形態に係るブラジャーの右胸用パーツのみを装着した状態を示す斜視図である。
【図５】同実施形態に係るブラジャーを装着した状態を示す斜視図である。
【発明を実施するための形態】
【００３０】
以下、本発明の実施形態を図面に基づいて詳細に説明する。図１は本発明の一実施形態に係るブラジャーの構造を示す概要図であり、図２は同実施形態に係るブラジャーの右胸用パーツ（主部）の構造を示す概要図であり、図３は同実施形態に係るブラジャーの左胸用パーツ（従部）の構造を示す概要図であり、図４は同実施形態に係るブラジャーの右胸用パーツのみを装着した状態を示す斜視図であり、図５は同実施形態に係るブラジャーを装着した状態を示す斜視図である。
【００３１】
図１に示すように、本実施形態に係るブラジャー１は、健常な乳房を保持するための機能を有する右胸用パーツ２と、切除手術を行った左側の胸部において疑似的に乳房を作り出す役割を果たす左胸用パーツ３とを組み合わせて一つのブラジャーとなる構造を有している。ブラジャー１においては、右胸用パーツ２の上に左胸用パーツ３が重なるように組み合わされている。
【００３２】
なお、本実施形態に係るブラジャーは左胸の乳房を切除した乳癌患者用のブラジャーであるが、左右を対称に入れ替えたブラジャー、すなわち右側乳房を切除した乳癌患者用のブラジャーも当然に本願発明の範囲に含まれる。右胸切除患者用のブラジャーであれば、本実施形態に係るブラジャー１とは逆に、右胸用パーツが切除手術を行った左側の胸部において疑似的に乳房を作り出す役割を果たし、左胸用パーツが健常な乳房を保持するための機能を有することとなるとともに、左胸用パーツの上に右胸用パーツが重なるように左右一対に組み合わされることになる。
【００３３】
右胸用パーツ２及び左胸用パーツ３について、それぞれの構造を以下に詳細説明する。なお、右胸用パーツ２と左胸用パーツ３とは、実際には、後述するように二箇所において縫合されて一体化されているが、説明の都合上、図２及び図３においては右胸用パーツ２と左胸用パーツ３とを分離した形で描いていることに留意されたい。
【００３４】
右胸用パーツ２は、図２に示すように、右胸用カップ２２と、右胸用カップ２２から左右に延びた右胸用バンド２１と、右胸用カップ２２から上方に延伸されて着用者の背面において右胸用バンド２１と一体化される右胸用肩紐２３とから構成されている。右胸用カップ２２は健常な乳房を覆い、保持するためのものであり、通常使用されるブラジャーのカップと特に変わるところはない。
【００３５】
右胸用カップ２２のカップの下側には、乳房を下側から支えるためにワイヤ２２１が縫い込まれている。右胸用カップ２２の下部（ワイヤ２２１に当接する位置）からは左右に右胸用バンド２１が延びており、右胸用カップ２２の上端部には連結具２３１を介して右胸用肩紐２３が連結されている。
【００３６】
右胸用バンド２１は、正面視右側のバンド端２１２に向かって細長く延びており、当該右側に延びる右胸用バンド２１上の右胸用カップ２２のすぐ脇には、左胸用パーツ３の左胸用カップ３２を適切な位置に係止するためのフック状面ファスナ２１１が縫い付けられている。右胸用バンド２１の正面視左側は、右胸の乳房をしっかりと保持できるよう、ある程度幅広に作られており、バンド端２１３に向かって徐々に幅が縮まっていくテーパー形状となっている。当該左側に延びる右胸用バンド２１上の右胸用カップ２２のやや左側には、着用者の体側部近傍の肉を胸側へと寄せてホールドするための芯材２１６が縫い込まれている。また、バンド端２１３には着用者の背面でブラジャー１を留めるためのカギホック２１４が縫い付けられている。
【００３７】
右胸用肩紐２３は、ブラジャー１の着用時に着用者の背面に位置する右胸用バンド２１のバンド端２１３近傍において、右胸用バンド２１と一体化されるように縫い付けられている。また、右胸用肩紐２３の途中には右胸用肩紐２３の長さを調節するためのアジャスタ２３２が設けられている。
【００３８】
左胸用パーツ３は、図３に示すように、左胸用カップ３２と、左胸用カップ３２から左右に延びた左胸用バンド３１と、左胸用カップ３２から上方に延伸されて着用者の背面において左胸用バンド３１と一体化される左胸用肩紐３３とから構成されている。左胸用カップ３２は、乳癌治療のために乳房を部分的又は完全に切除した胸側に疑似的に乳房を作り出すべく、補整パッド（図示せず）を収納可能な構造となっている。本実施形態に係る左胸用カップ３２に収納される補整パッドは綿製の軽量のパッドを用いているが、これに限られるものではなく、着用者の目的や好みに応じて適当な補整パッドを選択してもよい。
【００３９】
左胸用カップ３２のカップの下側には、右胸用カップ２２とは異なり、ワイヤは縫い込まれていない。これは、左胸には支えるべき乳房がなく、また、ワイヤが傷跡に当たって痛みが生じることがないようにしたことに起因するものである。左胸用カップ３２の下部からは左右に左胸用バンド３１が延びており、左胸用カップ３２の上端部には連結具３３１を介して左胸用肩紐３３が連結されている。
【００４０】
左胸用バンド３１は、正面視左側のバンド端３１３に向かっては細長く延びており、当該左側に延びる左胸用バンド３１上の左胸用カップ３２のすぐ脇には、左胸用カップ３２を右胸用カップ２２とバランスのとれた位置に係止するために、右胸用パーツ２に設けられたフック状面ファスナ２１１に着脱可能なループ状面ファスナ３１１が縫い付けられている。左胸用バンド３１の正面視右側はバンド端３１２に向かって徐々に幅が縮まっていくテーパー形状となっており、バンド端３１２には、右胸用パーツ２に設けられたカギホック２１４に対応するホック受け３１４が縫い付けられている。ホック受け３１４は着用者の体型に合わせて長さを調整可能なように四連構造となっている。
【００４１】
左胸用肩紐３３は、ブラジャー１の着用時に着用者の背面に位置する左胸用バンド３１のバンド端３１２近傍において、左胸用バンド３１と一体化されるように縫い付けられている。また、左胸用肩紐３３の途中には左胸用肩紐３３の長さを調節するためのアジャスタ３３２が設けられている。
【００４２】
右胸用パーツ２と左胸用パーツ３とは、図１に示すように、左胸用パーツ３の左胸用バンド３１が右胸用パーツ２の右胸用バンド２１の上に重なるように左右一対で組み合わせられている。左胸用パーツ３の左胸用バンド３１のバンド端３１３は、右胸用パーツ２の右胸用バンド２１の芯材２１５のすぐ右脇に位置する連結位置２１６において右胸用バンド２１に縫い付けられている。また、左胸用パーツ３の左胸用バンド３１に縫い付けられたホック受け３１４の左端の縫い止まり位置３１６と右胸用パーツ２の右胸用バンド２１のバンド端２１２とが一体化するように縫い付けられている。
【００４３】
本実施形態に係るブラジャー１においては、左胸用バンド３１のバンド端３１３から縫い止まり位置３１６までの長さが、右胸用バンド２１の連結位置２１６からバンド端２１２までの長さよりも長くなっている。これによって、ブラジャー１の着用時には、右胸用パーツ２はしっかりと右胸の乳房をホールドし（図４参照）、その一方で、左胸用パーツ３と右胸用パーツ２との間には空間が生じ、左胸用パーツ３は少し緩みのある状態で装着されるため（図５参照）、切除手術を行った左胸の傷跡近傍に与える押圧力が小さくなる。結果、切除手術を行った左胸の傷跡近傍への圧迫感や痛みが低減されることになる。
【００４４】
ブラジャー１着用時には、右胸用パーツ２においては健常な右側の乳房を保持するために右胸用カップ２２を上方に引き上げる力が働くが、左胸用バンド３１のバンド端３１３が右胸用バンド２１の連結位置２１６において右胸用バンド２１に縫い付けられ、左胸用バンド３１の縫い止まり位置３１６と右胸用バンド２１のバンド端２１２とが一体化するように縫い付けられていることにより、右胸用パーツ２と左胸用パーツ３とが構造的にほぼ独立し、それぞれに働く力が相互に伝わりにくくなる。その結果、右胸用パーツ２は健常な右側の乳房をしっかりと保持する役割を果たしつつ、左胸用パーツ３に対して左胸用カップ３２を上方に引き上げる力が働くことはなくなり、そのため、軽い補整パッドを左胸用カップ３２において用いた場合でも、ブラジャー１を着用して動いているうちに左胸用カップ３２がずり上がってきてしまうこともない。
【００４５】
このとき、左胸用バンド３１と右胸用バンド２１とは縫い止まり位置３１６及びバンド端２１２の一点で縫い付けるのではなく、左胸用バンド３１の左胸用肩紐３３が縫い付けられている縫付開始位置３１５から縫い止まり位置３１６までの領域全体において一体化するように縫い付けることもできる。このように左胸用バンド３１と右胸用バンド２１とを一体化させることにより、ブラジャー１の着用時に左肩を上げたときに、左胸用肩紐３３が左胸用カップ３２を上に引っ張り上げる力を右胸用バンド２１が受け止めるため、左胸用バンド３１が上にずり上がることがなくなる。
【００４６】
また、左胸用バンド３１のバンド端３１３を右胸用バンド２１に縫い付ける位置を連結位置２１６としていることにより、次のような効果がある。すなわち、左胸用バンド３１の右胸寄りバンド端３１３が右胸用カップ２２よりも遠い位置において右胸用バンド２１に連結されることになるため、ブラジャー１着用時に、右胸用カップ２２を上方に引き上げる力が働いても、その力が左胸用バンド３１を介して左胸用パーツ３に伝達することはなく、結果として左胸用カップ３２が上方にずれ上がることを防止することができる。また、ブラジャー１着用時に、右胸用バンド２１よりも左胸用バンド３１の位置を下側に位置させることができるため、左右のバストトップの高さ位置のバランスを取り易くなる。
【００４７】
なお、本実施形態においては左胸用バンド３１のバンド端３１３から縫い止まり位置３１６までを右胸用バンド２１の連結位置２１６からバンド端２１２までの長さよりも元々長くなるように生地を裁断して左胸用バンド３１を縫製しているが、例えば、左胸用バンド３１の左胸用カップ３２脇の付け根位置３１７から縫付開始位置３１５までの間に左胸用バンド３１の長さを調節するための部材が設けられていてもよい。左胸用バンド３１の長さを調節するための部材としては、面ファスナ等が挙げられる。左胸用バンド３１の長さを調節可能とすることにより、着用者の体型や体格に合わせて適切なサイズの空間を右胸用パーツ２と左胸用パーツ３との間に形成することができる。
【００４８】
一方、右胸用カップ２２から伸びる右胸用肩紐２３はそのまま右胸用パーツ２に、左胸用カップ３２からの伸びる左胸用肩紐３３はそのまま左胸用パーツ３に一体化されていることも、右胸用パーツ２と左胸用パーツ３とを構造的にほぼ独立させることに一役買っている。また、右胸用パーツ２においては、健常な乳房の残る右胸側には右胸用肩紐２３があるため、乳房を保持する右胸用カップ２２を上に引き上げる力は適正に生じるものの、切除手術を行った左胸側には肩紐がないため、左胸側の下に位置する右胸用バンド２１がずり上がってあばらや傷跡に当たることはない。一方、左胸用パーツ３においては、左胸用肩紐３３によって左胸用カップ３２を上方から吊り下げることにより、右胸用カップ２２の位置に合わせて左胸用カップ３２の高さを適正な位置に保持することができ、左右のバストトップの高さ位置のバランスを取り易くなる。
【００４９】
なお、本実施形態においては、左胸用肩紐３３の長さが右胸用肩紐２３の長さよりも長くなるように形成されており、これにより、左胸用カップ３２と右胸用カップ２２との間で左右のバストトップの高さ位置のバランスを取る際に、左胸用カップ３２の調整範囲が広がるため、より適切な位置に左胸用カップ３２を配置することができる。
【００５０】
さらに、フック状面ファスナ２１１及びループ状面ファスナ３１１が左胸用カップ３２の高さを適正な位置に保持するために貢献する。すなわち、ブラジャー１の着用時に、右胸側の乳房を保持する右胸用カップ２２の位置に合わせて、左右のバストトップの高さ位置やバランスを確認しながら適切な位置に左胸用カップ３２が配置されるように、右胸用バンド２１に左胸用バンド３１を接合させることができる。なお、本実施形態においては、右胸用バンド２１と左胸用バンド３１とを接合させるために面ファスナを用いたが、右胸用バンド２１と左胸用バンド３１とを着脱自在に接合できるものであればこれに限られるものではなく、例えば、ホック、ボタン、スナップ等を用いてもよい。
【００５１】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【産業上の利用可能性】
【００５２】
本発明は、乳癌治療のために乳房を切除した乳癌患者がブラジャーを着用する際に感じる圧迫感や痛みを低減するために有用である。
【符号の説明】
【００５３】
１…ブラジャー
２…右胸用パーツ（主部）
２１…右胸用バンド
２１１…フック状面ファスナ
２１２，２１３…バンド端
２１４…カギホック
２１５…芯材
２１６…連結位置
２２…右胸用カップ
２２１…ワイヤ
２３…右胸用肩紐
２３１…連結具
２３２…アジャスタ
３…左胸用パーツ（従部）
３１…左胸用バンド
３１１…ループ状面ファスナ
３１２，３１３…バンド端
３１４…ホック受け
３１５…縫付開始位置
３１６…縫い止まり位置
３１７…付け根位置
３２…左胸用カップ
３３…左胸用肩紐
３３１…連結具
３３２…アジャスタ
【要約】
ブラジャー（１）は左右どちらか一方の乳房に当接する第１カップ部（２２）と、第１カップ部（２２）から側方に延伸された第１バンド部（２１）とを有する主部（２）と、補整パッドを収納可能に構成された第２カップ部（３２）と、第２カップ部（３２）から側方に延伸された第２バンド部（３１）とを有する従部（３）とを備える。第２バンド部（３１）が第１バンド部（２１）の上に重なるように主部（２）と従部（３）とを左右一対として組み合わせ、主部（２）と従部（３）との間に空間を形成しうるように従部（３）が主部（２）に支持される。このようなブラジャーであれば、乳癌治療のために乳房やリンパ節を切除した後の胸や腋窩への圧迫感や痛みを低減することができる。【図１】
0005484603.tif 000002
【図２】
0005484603.tif 000003
【図３】
0005484603.tif 000004
【図４】
0005484603.tif 000005
【図５】
0005484603.tif 000006